(57)【特許請求の範囲】
【請求項１】
管状、棒状又は線状の被保持物を保持するための保持具であり、
上記被保持物を収容保持するリング状又は短管状の収容部と、
該収容部の外周面に設けた他部材へと固定するための固定部と、
上記収容部内へと出没可能に設けられた弾性変形可能な押え部材とを具備してなり、さらに上記押え部材は、上記被保持物を上記収容部に挿入した保持具を他部材へ固定する際に他部材に当接するダンパー片と連結されており、上記ダンパー片の他部材への当接によって上記押え部材がスイングして収容部内に突出し、これにより、上記押え部材が被保持物に圧接することにより保持具を被保持物の所定位置に固定するように構成したことを特徴とする保持具。
【請求項２】
上記固定部が上記収容部の外周面に突設された脚部であり、該脚部を上記他部材に設けられた取付穴に固定することにより、他部材へ固定するように構成された請求項１記載の保持具。
【請求項３】
上記収容部の周壁に貫通窓を形成し、上記他部材へと保持具を固定する際に上記ダンパー片と連結した上記押え部材が上記貫通窓から収容部内へスイングするように構成した請求項１又は２記載の保持具。
【発明の詳細な説明】
【０００１】
【発明の属する技術分野】
本発明は、自動車のウインドウォッシャー用ホースやサンルーフ用ドレインホースなどの管状、棒状又は線状の被保持物を保持して他部材に固定する場合や、複数の上記被保持物を結束する場合、更には複数の上記被保持物を結束して他部材に固定する場合などに用いられる保持具に関する。
【０００２】
【従来の技術】
自動車のウインドウォッシャー用ホースやサンルーフ用ドレインホース等は、ボンネットフードの裏側やリヤピラーの裏側にプラスチック製の保持具を用いて固定することが行われており、従来、このような保持具としては、実開昭６１−９６７２０号公報に記載された保持具が知られている。
【０００３】
即ち、従来の保持具は、図５（Ａ）に示したように、リング状収容部ａの外周面にロック突部ｅを有する脚部ｂを突設すると共に、該脚部ｂを挟んで両側にダンパー片ｃ，ｃを突設し、かつ上記リング状収容部ａの内周面に押え片ｄを突設したものである。
【０００４】
そして、この保持具は、図５（Ｂ）に示したように、管状、棒状又は線状の被保持物ｈを上記収容部ａ内に挿入し、この被保持物ｈに上記押え片ｄを圧接させることにより位置決めし、この状態で上記脚部ｂをパネルｐに設けられた取付穴ｒに圧入してロック突部ｅを取付穴ｒの縁部に係合させてロックすることにより、被保持物ｈをパネルｐに固定するものである。この場合、この保持具は、上記ダンパー片ｃがパネルｐに当接して弾性変形することにより、パネルｐの板厚の変化や誤差を許容してがたつきなく固定し得るように工夫されている。
【０００５】
【発明が解決しようとする課題】
しかしながら、上記従来の保持具は、被保持物ｈに取り付けると上記押え片ｄにより位置決めがなされ、容易に保持具を被保持物ｈの軸方向に移動させることができないため、被保持物ｈに取り付けた保持具をパネルｐの取付穴ｒへと固定する際に、位置調節を容易に行うことができないという問題点がある。
【０００６】
即ち、上述した自動車のウインドウォッシャー用ホースをボンネットフードの裏側に固定する場合、予めウインドウォッシャー用ホースに複数の保持具を取りつけておき、組み付けラインにおいて、ボンネットフードの裏側に設けられた取付穴にこの複数の保持具を圧入固定することが行われるが、この場合ホースに取り付けられた各保持具の位置とボンネットフードに設けられた取付穴の位置とが必ずしも一致しているものではなく、取付時に保持具の位置調節を行う必要があり、このような場合、従来の保持具ではその位置調節作業が容易ではなく、これが作業効率を低下させる原因となり得る。
【０００７】
また、ウインドウォッシャー用ホースｈに取り付けられた上記従来の保持具を移動させる場合、上記押え片ｄにより上記収容部ａの内周面に押圧されたホースｈが収容部ａのエッジや押え片ｄにより傷付くこともある。
【０００８】
この種の保持具は、管状、棒状、線状の被保持物を複数本結束するため、又は複数本結束して他部材に固定するためにも使用され、この場合被保持物の径や本数の増減を上記押え片により許容して確実に結束固定することができる。しかしながら、この場合にも上述した理由と同様の問題を生じることとなり、改善の余地を残すものである。
【０００９】
本発明は、上記事情に鑑みなされたもので、管状、棒状、線状の被保持物を確実に保持して他部材に固定し得、又は複数の上記被保持物を確実に結束し得、更には複数の上記被保持物を結束して他部材に確実に固定し得ると共に、これら被保持物に取り付けた後でも容易に位置移動を行うことが可能であり、固定作業等を極めて簡便に行うことができる保持具を提供することを目的とする。
【００１０】
【課題を解決するための手段】
本発明は、上記目的を達成するため、管状、棒状又は線状の被保持物を保持するための保持具であり、上記被保持物を収容保持するリング状又は短管状の収容部と、該収容部の外周面に設けた他部材へと固定するための固定部と、上記収容部内へと出没可能に設けられた弾性変形可能な押え部材とを具備してなり、さらに上記押え部材は、上記被保持物を上記収容部に挿入した保持具を他部材へ固定する際に他部材に当接するダンパー片と連結されており、上記ダンパー片の他部材への当接によって上記押え部材がスイングして収容部内に突出し、これにより、上記押え部材が被保持物に圧接することにより保持具を被保持物の所定位置に固定するように構成したことを特徴とする保持具を提供する。
【００１１】
即ち、本発明の保持具は、上述した従来の保持具と同様に、管状、棒状又は線状の被保持物を上記収容部に挿入し、この被保持物を収容部に設けられた押え部材により押圧して被保持物を保持するものであるが、この場合本発明の保持具では、上記押え部材が収容部内へと出没可能に設けられているため、必要に応じて押え部材の被保持物への圧接状態をオン／オフすることができ、被保持部材に取り付けた後に、必要に応じて取付位置を容易に移動させることができるものである。
【００１２】
従って、例えば、上記収容部の外周面に脚部などの固定部を設け、この固定部を他部材に設けられた取付穴などに固定して保持具を固定することにより、上記収容部内に保持した被保持物を他部材の所定箇所に固定する場合、他部材の取付穴形成位置に合わせて被保持物に取り付けた保持具をスライドさせ、保持具を上記取付穴に固定して保持具を固定すると共に、上記押え部材により被保持物を上記収容部内に固定して、被保持物を他部材の所定箇所に容易かつ確実に固定することができるものである。
【００１３】
またこの場合、例えば、上記従来例の保持具に設けられたダンパー片ｃと同様のダンパー片を設け、このダンパー片にアーム状の押え部材を突設し、このアーム状押え部材を上記収容部に設けた貫通窓に臨むように配置し、他部材に保持具を固定する際に他部材に当接して弾性変形する上記ダンパー片と連動して上記アーム状押え部材が上記貫通窓から上記収容部内に突出して、収容部内の被保持物に圧接するように構成することもできる。
【００１４】
このような構成によれば、他部材に設けられた取付穴に合わせて被保持物に取り付けた保持具をスライドさせ、取付穴に保持具を固定すると同時に被保持部物の固定も自動的に行われ、極めて作業性よく容易に被保持物を他部材に固定することができるものである。従って、上述したウインドウォッシャー用ホースを自動車のボンネットフードなどに固定する場合などに、組み付けラインで滞りなく非常にスムーズに取付作業を行うことができ、作業効率の向上に大きく寄与することができるものである。
【００１５】
【発明の実施の形態及び実施例】
以下、実施例を示し、本発明をより具体的に説明する。
図１，２は、本発明の一実施例にかかる保持具１を示すものであり、この保持具１は、図１，２に示されているように、ウインドウォッシャー用ホース等の被保持物を収容するための収容部２と、収容部２の外周下面に一体に突設した脚部３と、収容部２の外周面に該脚部３を挟んで両側に突設された一対のダンパー片４，４と、該ダンパー片４，４の中間部に突設された一対の押え部材５とを具備している。
【００１６】
上記収容部２は、図２（Ｂ）に示されているように、一対の略半円弧状板体２ａ，２ｂの端部を屈曲可能な薄肉部２１で一体に連結したものであり、両半円弧状板体２ａ，２ｂの中間部には長さ方向に沿って長方形の貫通窓２２，２２がそれぞれ形成されている。また、両円弧状板体２ａ，２ｂの自由端部２３，２３は、図１（Ｃ）に示されているように、連結端側の１／２幅に形成され、それぞれ異なる側縁部側半分が欠落した如く形成されており、この自由端部２３，２３の互いに対向する側縁部には、互いに嵌合する凹部２４ａと凸部２４ｂとがそれぞれ形成されている。
【００１７】
上記脚部３は中空円柱状のものであり、図１（Ｂ），（Ｄ）及び図２（Ｂ）に示されているように、上記半円弧状板体２ａ，２ｂの自由端部２３の下面（収容部２の外周面）にそれぞれ突設された半円柱体３ａ，３ｂにより形成されている。両半円柱体３ａ，３ｂの先端部平面側には互いに嵌合する凹部３１ａと凸部３１ｂとが形成されており、両半円柱体３ａ，３ｂを重合して凹部３１ａと凸部３１ｂとを嵌合させることにより円柱状の脚部５が形成されるようになっている。
【００１８】
また、上記両半円柱体３ａ，３ｂの周面には、それぞれ略逆Ｕ字状のスリット３２，３２が形成されており、このスリット３２，３２の内側が弾性変形可能なロック片３３，３３となっていると共に、これらロック片３３，３３の外面側が山形に膨出して、脚部３の外周面から突出している。
【００１９】
上記ダンパー片４，４は、上記半円弧状板体２ａ，２ｂの自由端２３側に上記脚部３を挟んで両側にそれぞれ突設された弾性変形可能な板材であり、外側斜め下方（脚部３側）に向けて突設されている。
【００２０】
このダンパー片４，４の長さ方向中間部上面（収容部２側）には、それぞれアーム状の上記押え部材５，５が一体に突設されており、この押え部材５，５は上記収容部２の外周面に沿って、その先端側が上記貫通窓２２，２２に臨む状態に配置されている。
【００２１】
この保持具１を用いて自動車のウインドウォッシャー用ホース（以下、単に「ホース」という）をボンネットフードの裏側に固定する場合、まず、上記半円弧状板体２２，２２の自由端２３，２３が互いに分離し上記収容部２が開環した、図２（Ｂ）に示された状態で収容部２内にホースを挿入し、収容部２を閉じて半円弧状板体２２，２２の自由端２３，２３を重ね合わせ、該自由端２３，２３に設けられた凹部２４ａと凸部２４ｂとを嵌合させる（図１（Ｃ）参照）と共に、脚部３を構成する上記半円柱体３ａ，３ｂを重ね合わせ、両半円柱体３ａ，３ｂに設けられた凸部３１ｂと凹部３１ａとを嵌合させて（図１（Ｄ）参照）、脚部３を構成する。これにより、図３（Ａ）に示したように、ホースｈが保持具１の収容部２内に保持された状態となる。
【００２２】
この状態で、図３（Ｂ）に示したように、ボンネットフードｐに設けられた取付穴ｒに上記脚部３を圧入して保持具１をボンネットフードｐに固定する。この際、まず上記取付穴ｒの形成位置に合わせて保持具１をホースｈに対してスライドさせるように移動させることにより位置合わせを行った後、保持具１の脚部３を取付穴ｒに圧入する。
【００２３】
上記脚部３を上記取付穴ｒに圧入すると、該脚部３に設けられた上記ロック片３３，３３が取付穴ｒの内周縁により押圧されて一旦内側へと弾性変形し取付穴ｒの反対側で弾性復帰することにより、該ロック片３３，３３が取付穴ｒの周縁部に係合して保持具１がボンネットフードｐの取付穴ｒに固定される。
【００２４】
また、このとき上記ダンパー片４，４がボンネットフードｐに当接して上方へと弾性変形し、その弾発力によりボンネットフードｐの板厚の変化又は誤差が許容され、保持具１がガタツキなくしっかりと固定されると共に、ダンパー片４，４に設けられた上記押え部材５，５がダンパー片４，４の弾性変形と共に内側（収容部２側）へとスイングし、その先端側が収容部４に設けられた貫通窓２２，２２を通って収容部２内に進入し、収容部２内に収容されたホースｈに圧接する。
【００２５】
これにより、ホースｈが保持具１の収容部２内にガタツキなく確実に固定され、更にこの保持具１がボンネットフードｐの取付穴ｒにガタツキなくしっかりと固定されることにより、この保持具１を介してホースｈがボンネットフードｐの所定箇所に確実に固定される。
【００２６】
このように、本実施例の保持具１によれば、ホースｈを収容部２内に挿入して保持した状態では、押え部材５，５が収容部２の外側にあり、ホースｈが収容部２内に遊嵌された状態となっているため、ホースｈに取り付けた保持具１を容易かつ自由に移動させることができ、しかもこの保持具１をボンネットフードｐの取付穴ｒに固定するのと同時に自動的に上記押え部材５，５が収容部２内に進入し突出してホースｈを固定するようになっている。
【００２７】
従って、ウインドウォッシャー用ホースｈを自動車のボンネットフードｐに固定する場合に、予め複数の保持具１をウインドウォッシャー用ホースｈに取り付けておき、組み付けラインでボンネットフードｐに設けられた取付穴ｒに合わせて各保持具１スライドさせ、取付穴ｒに保持具１の脚部３を圧入するだけの極めて簡便な作業により、ウインドウォッシャー用ホースｈをボンネットフードｐの所定箇所に確実に固定することができる。よって、組み付けラインで滞りなく極めてスムーズに取付作業を行うことができ、作業効率の向上に大きく寄与することができるものである。
【００２８】
図４は、本発明の参考例を示す保持具６を示すものである。この保持具６は、図４（Ｂ）に示されているように、一対の半円弧状板体７ａ，７ｂの端部を屈曲可能に一体に連結した開環可能なリング状の収容部７を具備しており、この収容部７を構成する一方の半円弧状板体７ａに円弧状の押え部材７２を形成したものである。
【００２９】
上記両半円弧状板体７ａ，７ｂの自由端には、図４（Ａ），（Ｂ）に示されているように、互いに嵌合するように切欠部７１，７１が設けられており、この切欠部７１，７１に互いに歯合する断面鋸歯状の凹凸（図示せず）が形成されている。
【００３０】
上記押え部材７２は、半円弧状板体７２ａの周面に互いに平行する一対のスリット（図示せず）を形成し、該スリット間を弾性変形可能な板状の押え部材７２としたものであり、図４（Ｃ）に一点鎖線で示したように、この押え部材７２が外方からの押圧により弾性変形して反転し、収容部７の内側に突出するようになっている。
【００３１】
この保持具６は複数の管材、棒材、線材など被保持物を結束するためのものであり、図４（Ｂ）に示された開環状態の上記収容部７内に被保持物ｊを挿入し、図４（Ｄ）に示されているように、両円弧状板体７ａ，７ｂの両自由端を係合させて収容部７を閉環し、この状態で保持具７を所定の位置にスライドさせて位置合わせした後、図４（Ｅ）に示されているように、上記押え部材７２を反転させて収容部７内の被保持物ｊに圧接させ、被保持物ｊを固定するものである。
【００３２】
このように、この保持具６によれば、上記押え部材７２が収容部７内へと出没可能に設けられているため、必要に応じて押え部材７２の被保持物ｊへの圧接状態をオン／オフすることができ、被保持部材ｊに取り付けた後に、必要に応じて取付位置を容易に移動させることができ、結束位置を容易に調節することができ、複数の被保持物ｊを所定位置で確実かつ容易に結束することができるものである。また、この保持具６の収容部７外周面に、他部材に固定するための適宜な固定部を設けることにより、上記第１実施例の保持具１と同様に用いることもできる。
【００３３】
なお、本発明の保持具は、上記実施例に限定されるものではなく、本発明の要旨を逸脱しない限り、適宜変更して差し支えない。例えば、上記実施例では、収容部２をいずれも開環可能に構成し、環状、棒状、線状の被保持物を容易に収容部２内に挿入し得るようにしたが、これら収容部を開環することができない単なるリング状又は短管状の部材としてもよく、また押え部材の形状や出没機構、他部材への固定部の構成、ダンパー片の有無などは適宜変更することができ、更にその他の構成についても種々変更して差し支えない。
【００３４】
【発明の効果】
以上説明したように、本発明の保持具は、収容部内に挿入された被保持物を固定する押え部材が、収容部内へと出没可能に設けられているため、必要に応じて押え部材の被保持物への圧接状態をオン／オフすることができ、被保持部材に取り付けた後に、必要に応じて取付位置を容易に移動させることができるものである。
【図面の簡単な説明】
【図１】  本発明の一実施例にかかる保持具を示すもので、（Ａ）は正面図、（Ｂ）は側面図、（Ｃ）は（Ａ）のＣ−Ｃ線に沿った断面図、（Ｄ）は底面図である。
【図２】  同保持具を示す正面図であり（Ａ）は収容部を閉じた状態、（Ｂ）は収容部を開環した状態である。
【図３】  同保持具を示す正面図であり、（Ａ）は被保持物を収容部に挿入してスライド可能に保持した状態、（Ｂ）は被保持物を他部材に固定した状態である。
【図４】  本発明の参考例の保持具を示すもので、（Ａ）は平面図、（Ｂ）は収容部を開環した状態を示す平面図、（Ｃ）は押え部材の形成部分を示す部分拡大断面図、（Ｄ）は被保持部材を収容部に挿入してスライド可能に保持した状態を示す平面図、（Ｅ）は被保持物を結束固定した状態を示す平面図である。
【図５】  従来の保持具を示すもので、（Ａ）は正面図、（Ｂ）はホース類を他部材に保持固定した状態を示す正面図である。
【符号の説明】
１，６  保持具
２，７  収容部
２２  貫通窓
３  脚部（固定部）
４  ダンパー片
５，７２  押え部材
ｈ，ｊ  被保持物
ｐ  他部材
【図１】
0004420154.tif 000002
【図２】
0004420154.tif 000003
【図３】
0004420154.tif 000004
【図４】
0004420154.tif 000005
【図５】
0004420154.tif 000006